(57)【特許請求の範囲】
【請求項１】
ウエスト開口部及び一対のレッグ開口部と、着用者の股間部に対応する股下部とを有し、該ウエスト開口部から該股下部に向かう方向である縦方向と、該縦方向と直交する方向である幅方向とを有しており、前記股下部の肌対向面上に吸収性パッドを配して着用されるパンツ型のパッドホルダーであって、
前記縦方向に伸長性を有し、前記幅方向に伸縮性を有しており、
前記幅方向の伸長性を抑制しうる幅伸長抑制部が、後身頃における股上長を３分割したときに最も前記股下部側に位置する下腹部領域の幅方向中央領域に幅方向に延在しており、
前記縦方向の伸長性を抑制しうる中央伸長抑制部が、前記パッドホルダーを幅方向に二等分する中心線に沿って前記幅伸長抑制部から前記ウエスト開口部に向かって延びており、
前記縦方向の伸長性を抑制しうる一対の第１側方伸長抑制部が、前記中央伸長抑制部を対称軸として前記幅伸長抑制部から前記ウエスト開口部に向かって左右対称に延びており、
前記中央伸長抑制部および前記一対の第１側方伸長抑制部が、前記幅伸長抑制部と交わる部分において互いに接しておらず、前記パッドホルダーを履く際に引き上げる上方への力が、該中央伸長抑制部および該一対の第１側方伸長抑制部を介して該幅伸長抑制部の幅方向中央部および左右両側部に伝達されるパッドホルダー。
【請求項２】
前記パッドホルダーの前身頃及び後身頃は、前記股下部において互いに接合されており、接合により形成された接合部の少なくとも一部と前記幅伸長抑制部とが接している請求項１記載のパッドホルダー。
【請求項３】
前記縦方向の伸長性を抑制しうる一対の第２側方伸長抑制部を備えており、
一対の前記第２側方伸長抑制部は、前記中央伸長抑制部を対称軸として一対の前記第１側方伸長抑制部より外方に配され、前記幅伸長抑制部から後身頃ウエスト領域の左右両側部に向かって、それぞれの一部が着用時に着用者の上前腸骨棘の上方に位置するように延びている請求項１又は２に記載のパッドホルダー。
【請求項４】
前記中央伸長抑制部、及び一対の前記第１側方伸長抑制部それぞれの前記ウエスト開口部側の端部の幅は、前記股下部側の端部の幅と同じか又は狭い請求項１〜３の何れかに記載のパッドホルダー。
【請求項５】
前記幅伸長抑制部は、平面視して二等辺三角形状であり、その頂角側の頂点が前記中心線上に配され、その底辺が前記股下部側に配されており、
前記中央伸長抑制部が前記頂角側の頂点から延びており、一対の前記第１側方伸長抑制部それぞれが二等辺三角形状の底角側の頂点から延びている請求項１〜４の何れかに記載のパッドホルダー。
【発明の詳細な説明】
【技術分野】
【０００１】
本発明は、吸収性パッドと併用されるパッドホルダーに関する。
【背景技術】
【０００２】
従来、パッドホルダーの股下部の肌対向面上に吸収性パッドを取り付けた状態で該パッドホルダーを着用し、吸収性パッドが液を吸収した後に、吸収性パッドのみを新品と交換する一方、パッドホルダーは再利用することが行われている。斯かるパッドホルダーは、吸収性パッドを着用者の股間部にフィットした状態に保持するものであり、パッドホルダーを吸収性パッドと組み合わせて使用することにより、ゴミの量やコストの削減を図ることができる。
【０００３】
従来のパッドホルダーとして、伸縮性シートから形成され、ウエスト開口部及び一対のレッグ開口部を有し、股下部の肌対向面上に吸収性パッドを配して着用されるパッドホルダーが知られている。例えば、特許文献１には、後身頃に伸縮性の少ない細幅状Ｉ字型の
ヒップ用引き上げ部を設けているショーツが記載されている。
【０００４】
また、先に出願人は、股上部を上下に上部領域、縦中央領域及び下部領域に三等分に区分したときに、上部領域を除く、縦中央領域及び下部領域に、縦方向の伸びを抑制する抗伸長手段を有するパッドホルダーを提案した（特許文献２参照）。
【先行技術文献】
【特許文献】
【０００５】
【特許文献１】実開平５−５６９０３号公報
【特許文献２】特開２００８−３０２００９号公報
【発明の概要】
【発明が解決しようとする課題】
【０００６】
特許文献１に記載のショーツは、細幅状Ｉ字型のヒップ用引き上げ部が、該ショーツの
幅方向を二等分する中心線に沿って一本、細幅状に設けられているのみであるため、該ショーツを引き上げて着用する際に、Ｉ字型のヒップ用引き上げ部に歪みが生じ易く、期待
するフィット感が得られず、フィット性に劣るものであった。
また、特許文献２に開示のパッドホルダーによれば、股上部を上下に三等分に区分したときの、上部領域を除く、縦中央領域及び下部領域に、抗伸長手段を有しているため、着脱し易く、フィット性に優れているが、更に、着脱性及びフィット性が向上したパッドホルダーが望まれていた。
【０００７】
本発明は、併用される吸収性パッドを、着用者の股間部に容易にフィットさせることができ、着用する際の脱着性や着用感にも優れたパッドホルダーに関する。
【課題を解決するための手段】
【０００８】
本発明は、ウエスト開口部及び一対のレッグ開口部と、着用者の股間部に対応する股下部とを有し、該ウエスト開口部から該股下部に向かう方向である縦方向と、該縦方向と直交する方向である幅方向とを有しており、前記股下部の肌対向面上に吸収性パッドを配して着用されるパンツ型のパッドホルダーであって、前記縦方向に伸長性を有し、前記幅方向に伸縮性を有しており、前記幅方向の伸長性を抑制しうる幅伸長抑制部が、後身頃における股上長を３分割したときに最も前記股下部側に位置する下腹部領域の幅方向中央領域に幅方向に延在しており、前記縦方向の伸長性を抑制しうる中央伸長抑制部が、前記パッドホルダーを幅方向に二等分する中心線に沿って前記幅伸長抑制部から前記ウエスト開口部に向かって延びており、前記縦方向の伸長性を抑制しうる一対の第１側方伸長抑制部が、前記中央伸長抑制部を対称軸として前記幅伸長抑制部から前記ウエスト開口部に向かって左右対称に延びているパッドホルダーを提供するものである。
【発明の効果】
【０００９】
本発明のパッドホルダーは、併用される吸収性パッドを、着用者の股間部に容易にフィットさせることができ、着用する際の脱着性や着用感にも優れている。
【図面の簡単な説明】
【００１０】
【図１】本発明のパッドホルダーの一実施形態を、前身頃と後身頃の肌対向面同士を面接させて平面状とした状態（自然状態）を、後身頃側から見た背面図である。
【図２】図１に示すパッドホルダーの使用状態（着用状態）を後身頃側から見た図である。
【図３】図１に示すパッドホルダーを、前身頃と後身頃の肌対向面同士を面接させて平面状とした状態（自然状態）を、前身頃側から見た正図である。
【図４】図１に示すパッドホルダーの使用状態（着用状態）を前身頃側から見た図である。
【図５】図１に示すパッドホルダーの使用状態（着用状態）を側方から見た図である。
【図６】腸骨稜の位置を示す人体図である。
【発明を実施するための形態】
【００１１】
以下、本発明のパッドホルダーを、その好ましい実施形態に基づき図面を参照して説明する。
パッドホルダー１は、図１，図３（自然状態）に示すように、パンツ型の形態を有し、ウエスト開口部５及び一対のレッグ開口部６，６と、着用者の股間部に対応する股下部４とを有している。また、パッドホルダー１は、図１，図３に示すように、ウエスト開口部５から股下部４に向かう縦方向（以下、「Ｙ方向」ともいう）と、縦方向（Ｙ方向）と直交する幅方向（以下、「Ｘ方向」ともいう）とを有している。本実施形態のパッドホルダー１は、所謂ボクサーブリーフ型であり、図２，図４に示すように、着用時にレッグ開口部６が、後述する股下部４よりも下方に位置する形態となっている。
また、パッドホルダー１は、パッドホルダー１の着用時に着用者の背側に配される後身頃２と、パッドホルダー１の着用時に着用者の腹側に配される前身頃３とを有している。
【００１２】
パッドホルダー１は、図２，図４に示すように、股下部４の肌対向面（パッドホルダー着用時に着用者の肌側に向けられる面）上に、吸収性パッド７を配して着用される。ここで、股下部４とは、着用時に着用者の股間部に配される部分である。吸収性パッド７は、一般に、液透過性の表面シート、液不透過性又は撥水性の裏面シート及びこれら両シート間に挟持固定された吸収性コアを備えている。吸収性パッド７は、前記裏面シート側の面に、パッドホルダー１に固定するための固定手段（粘着部等）を有するものでも有しないものであっても良い。
パッドホルダー１は、図１，図３に示すように、パッドホルダーを幅方向に二等分する縦方向に延びる中心線ＣＬに対して左右対称に形成されている。
【００１３】
パッドホルダー１は、図１，図３に示すように、縦方向（Ｙ方向）に伸長性を有し、幅方向（Ｘ方向）に伸縮性を有している。具体的には、図１，図３に示すように、パッドホルダー１の後身頃２及び前身頃３は、伸縮性シートで構成されており、全体的に伸縮性を有している。伸縮性シートの伸縮性は、少なくともホルダーの幅方向（Ｘ方向）に発現する。パッドホルダー１の縦方向（Ｙ方向）においては、伸縮性シートは伸縮性を有する必要はなく、伸長性を発現すれば良い。尚、縦方向（Ｙ方向）にも伸縮性シートが伸縮性（特に臀部〜背側腰部）を有すると、歩行や立ち座り等の動きによる臀部近傍の皮膚の伸びにパッドホルダー１が追従し易くなり、ずり落ちの発生を抑制し易くなるので好ましく、また、腹部（特に高齢者の多重腹）や臀部等の凹凸のある複雑形状に沿うことが容易となり、フィット性が良好となる点からも好ましい。
【００１４】
本実施形態のパッドホルダー１を形成する伸縮性シートとしては、編地、伸縮性不織布等を用いることができるが、特に、糸自体が伸縮性を有すると共に、伸縮性が発現し易い編み方で形成された編地を用いることが好ましい。
本実施形態のパッドホルダー１は、丸編機等により製造された伸縮性に富む円筒状の編地から形成されており、後身頃２及び前身頃３が、股下部４において互いに接合されて、接合部４２を形成しており、股下部４以外においては、互いをつなぎ合わせる継ぎ目が無いシームレスで形成されている。本実施形態のパッドホルダー１は、ボクサーブリーフ型であるので、接合部４２は、図１，図３に示すように、股下部４から一対のレッグ開口部６，６に至るまで延びて形成されている。尚、本実施形態のパッドホルダー１は、上述したように、接合部４２を有しているが、接合部４２を有さずに、後身頃２及び前身頃３をつなぎ合わせる継ぎ目の無い全域シームレスで形成されていてもよい。
一対のレッグ開口部６，６間の領域４１の幅方向（Ｘ方向）距離は、パッドホルダー１および吸収性パッド７の着用者の股間部への密着性向上の観点から、３〜１５ｃｍであることが好ましく、６〜１２ｃｍであることがより好ましい。
【００１５】
本実施形態のパッドホルダー１の接合部４２は、後身頃２及び前身頃３を股下部４において互いに縫製により接合しているが、接着剤や、ファスナー等の係止手段や、ボタン等を用いることができる。接合部４２は、強い引き上げ力に抗する強度を確保する観点から、縫製等により使用時には開閉不能に閉じられていることが好ましい。
尚、後述する各伸長抑制部（幅伸長抑制部２１、中央伸長抑制部２２、第１側方伸長抑制部２３，２４、第２側方伸長抑制部２５，２６、第２幅伸長抑制部２５、第３側方伸長抑制部３１，３２、第３幅伸長抑制部３３）は、それらの部分の編地の網目を他の部分より密にすることで後述する最大伸長率等を低下させたり、伸縮性に富むシートに、伸長性に劣る帯状のシートを縫合や融着等により接合して後述する最大伸長率等を低下させたりして形成される。
【００１６】
本実施形態のパッドホルダー１には、図１，図２に示すように、着用者のウエスト部分が挿通されるウエスト開口部５に、その周方向に伸縮するウエスト開口弾性部５１が環状に形成されている。また、図１，図２に示すように、着用者の脚が挿通される一対のレッグ開口部６，６に、それぞれの周方向に伸縮するレッグ開口弾性部６１が環状に形成されている。
ウエスト開口弾性部５１及びレッグ開口弾性部６１は、ウエスト開口部５及び一対のレッグ開口部６，６の開口周縁部における円筒状の編地の端部から所定幅の部分を折り返して固定（縫合）することにより形成しても良く、後身頃２及び前身頃３を構成する伸縮性シートとは別の弾性部材を固定することにより形成しても良い。ウエスト開口弾性部５１及びレッグ開口弾性部６１を別の弾性部材で形成する場合には、別の弾性部材としては、ポリウレタン繊維を含む伸縮性織布や不織布、合成ゴムシート、天然ゴムシート等を用いることができ、レッグ開口弾性部６１とウエスト開口弾性部５１とで、使用する弾性部材が同じであっても、異なっていても良い。別の弾性部材を固定することにより形成する場合には、別の弾性部材をウエスト開口部５及びレッグ開口部６それぞれの開口周縁部の伸縮性シートに重ねた状態で取り付けても良いし、各開口周縁部の伸縮性シートから延出するように取り付けても良い。
【００１７】
本実施形態のパッドホルダー１においては、ウエスト開口弾性部５１の存在によって、ウエスト開口部５の開口の周縁部は、パッドホルダー１の着用時に、ウエスト開口部５の直ぐ下に存する伸縮性シートのみからなる環状部分に比して強く着用者を締め付けることができる。同様に、レッグ開口弾性部６１の存在によって、レッグ開口部６，６それぞれの開口の周縁部は、各レッグ開口部６の直ぐ上に存する伸縮性シートのみからなる環状部分に比して強く着用者を締め付けることができる。
【００１８】
パッドホルダー１は、図１に示すように、幅方向（Ｘ方向）の伸長性を抑制しうる幅伸長抑制部２１が、後身頃２における下腹部領域２Ｄの幅方向中央領域２Ｃに幅方向（Ｘ方向）に延在している。ここで、下腹部領域２Ｄとは、図１に示すように、後身頃２における股上長Ｌを上下に、３分割（３等分に区分）（ウエスト領域２Ｕ、腹部領域２Ｍ及び下腹部領域２Ｄ）したときの、最も下側（股下部４側）に位置する領域のことを意味する。尚、図３に示すように、前身頃３におけるウエスト領域３Ｕ、腹部領域３Ｍ及び下腹部領域３Ｄについても、後身頃２におけるウエスト領域２Ｕ、腹部領域２Ｍ及び下腹部領域２Ｄと同様に位置する領域である。また、幅方向中央領域２Ｃとは、図１に示すように、後身頃２を左右に３分割（３等分に区分）（側方領域２Ｌ、幅方向中央領域２Ｃ及び側方領域２Ｒ）したときの、中央に位置する領域である。後身頃２を左右に３等分に区分する際には、幅方向に最も広い部分で区分する。尚、図３に示すように、前身頃３における側方領域３Ｌ、幅方向中央領域３Ｃ及び側方領域３Ｒについても、後身頃２における側方領域２Ｌ、幅方向中央領域２Ｃ及び側方領域２Ｒと同様に位置する領域である。
【００１９】
本実施形態においては、図１に示すように、幅伸長抑制部２１は、平面視して略二等辺三角形状であり、その頂角側の頂点２１ａが中心線ＣＬ上に配され、その底辺２１ｄが股下部４側に配されている。本実施形態の幅伸長抑制部２１は、図１に示すように、幅方向中央領域２Ｃより中心線ＣＬ寄りの、一対のレッグ開口部６，６間の領域４１に配されている。尚、本実施形態の幅伸長抑制部２１は、図１に示すように、略二等辺三角形状であるが、幅方向（Ｘ方向）に延在していれば、その形状に限られず、例えば、長方形状、楕円状、台形状、多角形状等であっても良い。幅伸長抑制部２１の幅（図１のＹ方向の長さ）は特に制限されないが、例えば図示例のものの幅は０．５〜５ｃｍ程度である。
幅伸長抑制部２１はその内部に伸長領域を含んでも良いが、引き上げ時の股間フィット性の観点から、その内部に伸長領域を含まないことが好ましい。
【００２０】
本実施形態においては、図１に示すように、後身頃２と前身頃３との接合により形成された接合部４２の少なくとも一部と、幅伸長抑制部２１とが接している。具体的には、一対のレッグ開口部６，６間の領域４１における接合部４２と、略二等辺三角形状の幅伸長抑制部２１における底辺２１ｄとが接している。引き上げ時の股間フィット性の観点から、領域４１における接合部４２と、幅伸長抑制部２１の底辺２１ｄとの接触は、領域４１における接合部４２の７５％以上の領域で幅伸長抑制部２１と接していることが好ましく、９０％以上の領域で接していることが更に好ましい。
図１において、接合部４２は非肌面側（股下部４から下方に向かって）に突出しており、吸収性パッド７の装着時にパッド７の収まりがよい。しかしながら、この形態に限定されず、接合部４２は肌面側に突出していても良い。
【００２１】
パッドホルダー１は、後身頃２においては、図１に示すように、縦方向（Ｙ方向）の伸長性を抑制しうる中央伸長抑制部２２が、パッドホルダー１を幅方向（Ｘ方向）に二等分する中心線ＣＬに沿って幅伸長抑制部２１からウエスト開口部５に向かって延びている。本実施形態においては、図１に示すように、中央伸長抑制部２２は、幅伸長抑制部２１の幅方向（Ｘ方向）の中央に位置する頂角側の頂点２１ａから、中心線ＣＬに沿ってウエスト開口部５に向かって、ウエスト開口部５のウエスト開口弾性部５１に至らない位置まで延びている。なお、中央伸長抑制部２２は、厳密に頂点２１ａから延びている必要はなく、その近傍から延びていても良い。伸長部分が後身頃２におけるウエスト領域２Ｕに形成されるために、姿勢変化時における皮膚の伸長にパッドホルダー１が追従でき、装着性およびフィット性に優れる。装着性およびフィット性の更なる向上の観点から、パッドホルダー１は、平面状の自然状態において、後身頃２の股上長が前身頃３の股上長よりも長いことが好ましく、その差は２〜８ｃｍであることが好ましい。
更に具体的には、本実施形態の中央伸長抑制部２２は、中央伸長抑制部２２の股下部４側の端部２２ａが、幅伸長抑制部２１と、幅伸長抑制部２１の幅方向（Ｘ方向）の中央で接し、中央伸長抑制部２２のウエスト開口部５側の端部２２ｂが、後述する４本の第２幅伸長抑制部２７の中で最もウエスト開口部５側に位置する第２幅伸長抑制部２７１の位置よりウエスト開口部５側（図１中の上側）に延出して、抑制部２７１とウエスト開口部５との間の位置まで、縦方向（Ｙ方向）に延びる中心線ＣＬに沿って延在している。
【００２２】
中央伸長抑制部２２の幅は、略均一であること、即ち、中央伸長抑制部２２の股下部４側の端部２２ａの幅と、ウエスト開口部５側の端部２２ｂの幅とが同じであることが好ましい。中央伸長抑制部２２の股下部４側の端部２２ａの幅と、ウエスト開口部５側の端部２２ｂの幅とが同じでない場合には、中央伸長抑制部２２のウエスト開口部５側の端部２２ｂの幅が、股下部４側の端部２２ａの幅より狭いことが好ましい。中央伸長抑制部２２の幅が略均一である場合には、中央伸長抑制部２２の幅は、幅伸長抑制部２１の幅方向（Ｘ方向）の長さの１／３未満の長さであることが好ましく、具体的には、５〜２５ｍｍであることが好ましく、１０〜２０ｍｍであることがより好ましい。ここで、幅伸長抑制部２１の幅方向（Ｘ方向）の長さとは、最も幅方向（Ｘ方向）の長さが長い位置での長さのことを意味する。また、中央伸長抑制部２２の幅が略均一でない場合には、中央伸長抑制部２２の幅は、股下部４側の端部２２ａからウエスト開口部５側の端部２２ｂに向かって、徐々に狭くなっていることが好ましく、端部２２ａの幅が１５〜２５ｍｍであることが好ましく、端部２２ｂの幅が５〜１０ｍｍであることが好ましい。
【００２３】
パッドホルダー１は、後身頃２においては、図１に示すように、縦方向（Ｙ方向）の伸長性を抑制しうる一対の第１側方伸長抑制部２３，２４が、中央伸長抑制部２２を対称軸として幅伸長抑制部２１からウエスト開口部５に向かって左右対称に延びている。第１側方伸長抑制部２３，２４は、幅伸長抑制部２１と交わる部分において互いに接しないことが好ましく、本実施形態においては、図１に示すように、一対の第１側方伸長抑制部２３，２４それぞれが、略二等辺三角形状の幅伸長抑制部２１の底角側の頂点２１ｂ，２１ｃ近傍からウエスト開口部５に向かって、ウエスト開口部５のウエスト開口弾性部５１に至らない位置まで延びている。更に具体的には、本実施形態の側方領域２Ｌ側の第１側方伸長抑制部２３は、股下部４側の端部２３ａが、幅伸長抑制部２１の底角側の頂点２１ｂと接し、第１側方伸長抑制部２３のウエスト開口部５側の端部２３ｂが、後述する４本の第２幅伸長抑制部２７の中で最もウエスト開口部５側に位置する第２幅伸長抑制部２７１と接するまで、幅方向（Ｘ方向）外方に凸状に湾曲しながら延在している。本実施形態の側方領域２Ｒ側の第１側方伸長抑制部２４は、中央伸長抑制部２２を対称軸として、側方領域２Ｌ側の第１側方伸長抑制部２３と左右対称に、股下部４側の端部２４ａが、幅伸長抑制部２１の底角側の頂点２１ｃと接し、第１側方伸長抑制部２４のウエスト開口部５側の端部２４ｂが、第２幅伸長抑制部２７１と接するまで、幅方向（Ｘ方向）外方に凸状に湾曲しながら形成されている。第１側方伸長抑制部２４は、直線状、あるいは、幅方向（Ｘ方向）外方に凹状に湾曲するように形成されていても良いが、身体へのフィット性の観点から、幅方向（Ｘ方向）外方に凸状に湾曲しながら臀溝に沿うように形成されていることが好ましい。
【００２４】
第１側方伸長抑制部２３の幅は、略均一であること、即ち、第１側方伸長抑制部２３の股下部４側の端部２３ａの幅と、ウエスト開口部５側の端部２３ｂの幅とが同じであることが好ましい。第１側方伸長抑制部２３の股下部４側の端部２３ａの幅と、ウエスト開口部５側の端部２３ｂの幅とが同じでない場合には、第１側方伸長抑制部２３のウエスト開口部５側の端部２３ｂの幅が、股下部４側の端部２３ａの幅より狭いことが好ましい。第１側方伸長抑制部２３の幅が略均一である場合には、第１側方伸長抑制部２３の幅は、中央伸長抑制部２２の幅と同様に、幅伸長抑制部２１の幅方向（Ｘ方向）の長さの１／３未満の長さであることが好ましく、具体的には、５〜２５ｍｍであることが好ましい。ここで、幅伸長抑制部２１の幅方向（Ｘ方向）の長さとは、最も幅方向（Ｘ方向）の長さが長い位置での長さのことを意味する。また、第１側方伸長抑制部２３の幅が略均一でない場合には、第１側方伸長抑制部２３の幅は、股下部４側の端部２３ａからウエスト開口部５側の端部２３ｂに向かって、徐々に狭くなっていることが好ましく、端部２３ａの幅が１５〜２５ｍｍであることが好ましく、端部２３ｂの幅が５〜１０ｍｍであることが好ましい。
本実施形態の側方領域２Ｒ側の第１側方伸長抑制部２４の幅は、中央伸長抑制部２２を対称軸に左右対称に形成される側方領域２Ｌ側の第１側方伸長抑制部２３の幅と同様である。
中央伸長抑制部２２、および一対の第１側方伸長抑制部２３，２４が幅伸長抑制部２１と交わる部分において互いに接していない場合には、パッドホルダー１を履く際に引き上げる上方への力が、中央伸長抑制部２２、および一対の第１側方伸長抑制部２３，２４を介して幅伸長抑制部２１の幅方向中央部および左右両側部に確実に伝達され、幅伸長抑制部２１が左右に傾くことなく均等に引き上がるので、併用される吸収性パッド７を、着用者の股間部に容易にフィット（密着）させることができる。
【００２５】
本実施形態のパッドホルダー１は、後身頃２においては、図１に示すように、縦方向（Ｙ方向）の伸長性を抑制しうる一対の第２側方伸長抑制部２５，２６を備えている。一対の第２側方伸長抑制部２５，２６は、図１に示すように、中央伸長抑制部２２を対称軸として一対の第１側方伸長抑制部２３，２４より幅方向（Ｘ方向）の外方に配され、幅伸長抑制部２１から後身頃２のウエスト領域２Ｕの左右両側部に向かって、それぞれの一部が着用時に着用者の上前腸骨棘８１の上方に位置するように延びている。第２側方伸長抑制部２５，２６は、幅伸長抑制部２１と交わる部分において互いに接しないことが好ましく、本実施形態においては、図１に示すように、一対の第２側方伸長抑制部２５，２６それぞれが、略二等辺三角形状の幅伸長抑制部２１の底角側の頂点２１ｂ，２１ｃ近傍から後身頃２のウエスト領域２Ｕの左右両側部に向かって延びている。なお、第２側方伸長抑制部２５,２６は前記頂点２１ｂ、２１ｃから延びていてもよい。本実施形態の側方領域２Ｌ側の第２側方伸長抑制部２５は、図１に示すように、幅伸長抑制部２１から後身頃２のウエスト領域２Ｕの左右両側部に向かって、波状に形成されており、側方領域２Ｒ側の第２側方伸長抑制部２６は、中央伸長抑制部２２を対称軸として、側方領域２Ｌ側の第２側方伸長抑制部２５と左右対称に、波状に形成されている。本実施形態においては、図５に示すように、パッドホルダー１は、着用時に前身頃３によって着用者の腸骨稜８，８が覆われるようになされており、一対の第２側方伸長抑制部２５，２６は、図２に示すように、それぞれの一部２５ｃ，２６ｃが、着用時に着用者の上前腸骨棘８１の上方（図２中の上側）に位置するように配されている。具体的には、第２側方伸長抑制部２５，２６は、後述する４本の第２幅伸長抑制部２７の中で最もウエスト開口部５側に位置する第２幅伸長抑制部２７１の位置よりウエスト開口部５側（図１中の上側）に延出し、着用時に上前腸骨棘８１の上方（図２中の上側）に位置する部位まで延出している。第２側方伸長抑制部２５，２６は、第２幅伸長抑制部２７１の位置から、パッドホルダー１の縦方向（Ｙ方向）に３ｃｍ以上延出していることが好ましく、５〜１０ｃｍ延出していることがより好ましい。
【００２６】
尚、腸骨稜（ちょうこつりょう）（図６に符号８で示す部分）及び上前腸骨棘（図６に符号８１で示す部分）は、共に解剖学の用語である。上前腸骨棘８１は、図６に示すように、腸骨稜８の前方下部に位置する部分である。ここで、腸骨稜について説明すると、腸骨稜は、腸骨（ちょうこつ）が、寛骨臼（かんこつきゅう）の上部を作る腸骨体（ちょうこつたい）とそれより上方において扇状に拡がる腸骨翼（ちょうこつよく）とを有しており、その腸骨翼の上縁（図６に符号８で部分）に位置する部分のことである。
上前腸骨棘８１及び腸骨稜８は、着用者の左右に一対存在する。
【００２７】
第２側方伸長抑制部２５，２６の幅は、略均一であることが好ましく、第１側方伸長抑制部２３の幅、及び中央伸長抑制部２２の幅と同様に、幅伸長抑制部２１の幅方向（Ｘ方向）の長さの１／３未満の長さであることが好ましく、具体的には、５〜２５ｍｍであることが好ましい。ここで、幅伸長抑制部２１の幅方向（Ｘ方向）の長さとは、最も幅方向（Ｘ方向）の長さが長い位置での長さのことを意味する。
【００２８】
本実施形態の後身頃２においては、一対の第２側方伸長抑制部２５，２６が、上述したように、幅伸長抑制部２１から後身頃２のウエスト領域２Ｕの左右両側部に向かって延びている。ここで、左右両側部とは、図１に示すように、パッドホルダー１の後身頃２と前身頃３とにおける互いの肌対向面同士を面接させてパッドホルダー１を平面状の自然状態としたときの両側部のことを意味し、本実施形態の一対の第２側方伸長抑制部２５，２６それぞれは、前記左右両側部に生じる折曲線１ａ，１ａに達するように延びている。尚、本実施形態においては、一対の第２側方伸長抑制部２５，２６それぞれが、折曲線１ａ，１ａに達しているが、達していなくても良い。折曲線１ａ，１ａに達していない場合には、折曲線１ａ，１ａまでの最短距離が３０ｍｍ以下、特に１０ｍｍ以下であることが好ましい。
【００２９】
パッドホルダー１は、後身頃２において、図１に示すように、幅方向（Ｘ方向）の伸長性を抑制しうる、幅方向（Ｘ方向）に延びる第２幅伸長抑制部２７を３〜８本有していることが好ましく、本実施形態においては、４本の第２幅伸長抑制部２７１，２７２，２７３，２７４を有している。４本の第２幅伸長抑制部２７１，２７２，２７３，２７４は、図１に示すように、本実施形態においては、ウエスト領域２Ｕを除く、腹部領域２Ｍ及び下腹部領域２Ｄに亘って、パッドホルダー１の縦方向（Ｙ方向）に略等間隔に間欠に配置されており、互いに並行となるように配置されている。第２幅伸長抑制部２７の幅（図１のＹ方向の長さ）は特に制限されないが、例えば図示例のものの幅は０．５〜５ｃｍ程度である。
【００３０】
パッドホルダー１に固定された吸収性パッド７が、着用中に第１側方伸長抑制部２３，２４の位置から幅方向（Ｘ方向）へ移動し難く安定すると共に、パッドホルダー１及び吸収性パッド７のよれが抑制され着用感が向上する観点から、複数本の第２幅伸長抑制部２７が、一対の第１側方伸長抑制部２３，２４間に亘り配されることが好ましい。ここで、「一対の第１側方伸長抑制部２３，２４間に亘り配される」とは、第１側方伸長抑制部２３，２４と第２幅伸長抑制部２７とが少なくとも一部で接するような状態に加え、１０ｍｍ未満の離間も類似の作用を有しうることから含む。ただし、確実な効果を得るためには第１側方伸長抑制部２３，２４と第２幅伸長抑制部２７とが交差していることが好ましい。
パッドホルダー１及び吸収性パッド７のよれが抑制され着用感が向上する観点から、複数本の第２幅伸長抑制部２７のうち、少なくとも一つの隣り合う２本の縦方向（Ｙ方向）距離が、幅伸長抑制部２１の幅方向（Ｘ方向）の長さよりも短いことが好ましく、全ての隣り合う２本の縦方向（Ｙ方向）距離が、幅伸長抑制部２１の横方向（Ｘ方向）の長さよりも短いことがより好ましい。隣り合う２本の縦方向（Ｙ方向）距離とは、自然状態において、中央領域２Ｃにおける、隣り合う２本の第２幅伸長抑制部２７同士の縦方向（Ｙ方向）の最短距離をいう。
【００３１】
本実施形態のパッドホルダー１は、後身頃２において、図１に示すように、４本の第２幅伸長抑制部２７のうちの最もウエスト開口部５寄りの第２幅伸長抑制部２７１が、パッドホルダーの幅方向（Ｘ方向）において、中央伸長抑制部２２と交差し、第１側方伸長抑制部２３，２４と接しており、第２側方伸長抑制部２５，２６と交差し、折曲線１ａ，１ａに至るまで延出している。そして、第２幅伸長抑制部２７１より股下部４側の２本の第２幅伸長抑制部２７２，２７３それぞれが、パッドホルダーの幅方向（Ｘ方向）において、中央伸長抑制部２２、第１側方伸長抑制部２３，２４、及び第２側方伸長抑制部２５，２６とそれぞれ交差し、折曲線１ａ，１ａに至るまで延出している。このようにすることで、パッドホルダー１の側部付近を手に掴んでパッドホルダー１を引き上げたときに、その力が、中央伸長抑制部２２、第１側方伸長抑制部２３，２４、及び第２側方伸長抑制部２５，２６を介して、幅方向（Ｘ方向）に延びる第２幅伸長抑制部２７１，２７２，２７３に縦方向（Ｙ方向）の引張力が効率よく伝達されるため、パッドホルダー１の全体を引き上げるのが一層容易であり、パッドホルダー１全体を適正位置にまで容易に引き上げることができる。尚、第２幅伸長抑制部２７１，２７２，２７３と折曲線１ａ，１ａとが接するような状態に加え、１０ｍｍ未満の離間も類似の作用を有しうることから含む。
【００３２】
本実施形態のパッドホルダー１は、後身頃２において、図１に示すように、４本の第２幅伸長抑制部２７のうちの最も股下部４寄りの第２幅伸長抑制部２７４が、パッドホルダーの幅方向（Ｘ方向）において、中央伸長抑制部２２及び第１側方伸長抑制部２３，２４それぞれと交差し、第２側方伸長抑制部２５，２６と接するまで延出している。このようにすることで、大腿部での良好な着用感が得られると共に、活動時、特に歩行時の着用者の動きに対してパッドホルダー１が追従し易く、歩行時の抵抗、違和感が少なくなるので、動作性に優れる。尚、第２幅伸長抑制部２７４と折曲線１ａ，１ａとが接するような状態に加え、１０ｍｍ未満の離間も類似の作用を有しうることから含む。
【００３３】
次に、本実施形態のパッドホルダー１の前身頃３について説明する。
本実施形態のパッドホルダー１は、前身頃３においては、図３に示すように、縦方向（Ｙ方向）の伸長性を抑制しうる一対の第３側方伸長抑制部３１，３２を備えている。本実施形態の一対の第３側方伸長抑制部３１，３２は、図３に示すように、下腹部領域３Ｄの幅方向中央領域３Ｃから前身頃３のウエスト領域３Ｕの左右両側部に亘ってそれぞれ延びている。一対の第３側方伸長抑制部３１，３２は、接合部４において互いに接しないことが好ましい。一対の第３側方伸長抑制部３１，３２は、図３に示すように、股下部４側の端部３１ａ，３２ａそれぞれが、幅方向中央領域３Ｃより中心線ＣＬ寄りの、一対のレッグ開口部６，６間の領域４１まで入り込んで接合部４２に達するように延びており、ウエスト開口部５側の端部３１ｂ，３２ｂそれぞれが、最もウエスト開口部５寄りの後述する第３幅伸長抑制部３３１の位置よりウエスト開口部５側（上側）に延出し、パッドホルダー１を平面状の自然状態としたときの左右両側部に生じる折曲線１ａ，１ａに達するように延びている。図３に示すように、第３側方伸長抑制部３１、３２それぞれは、略円弧状に形成されており、第３側方伸長抑制部３１と第３側方伸長抑制部３２とは、中心線ＣＬを対称軸に、左右対称に形成されている。本実施形態のパッドホルダー１においては、後身頃２の第２側方伸長抑制部２５，２６と前身頃３の第３側方伸長抑制部３１，３２が、着用者の側部に配される部位で連接されている（図５参照）。第３側方伸長抑制部３１，３２の幅（図１のＸ方向の長さ）は特に制限されないが、例えば図示例のものの幅は０．５〜５ｃｍ程度である。
【００３４】
本実施形態のパッドホルダー１は、前身頃３においては、図３に示すように、幅方向（Ｘ方向）の伸長性を抑制しうる、幅方向（Ｘ方向）に延びる第３幅伸長抑制部３３を３〜８本有していることが好ましく、本実施形態においては、４本の第３幅伸長抑制部３３１，３３２，３３３，３３４を有している。４本の第３幅伸長抑制部３３１，３３２，３３３，３３４は、パッドホルダー１の縦方向（Ｙ方向）に間欠に配置されている。４本の第３幅伸長抑制部３３のうちの最もウエスト開口部５寄りの第３幅伸長抑制部３３１は、パッドホルダーの幅方向（Ｘ方向）において、第３側方伸長抑制部３１，３２と交差し、折曲線１ａ，１ａに至るまで延出し、前身頃３の第２幅伸長抑制部２７１と、着用者の側部に配される部位で連接されている（図５参照）。そして、第３幅伸長抑制部３３１より股下部４側の２本の第３幅伸長抑制部３３２，３３３それぞれは、パッドホルダーの幅方向（Ｘ方向）において、第３側方伸長抑制部３１，３２とそれぞれに交差し、折曲線１ａ，１ａに至るまで延出し、前身頃３の第２幅伸長抑制部２７２，２７３それぞれと、着用者の側部に配される部位で連接されている（図５参照）。第３幅伸長抑制部３３の幅（図１のＹ方向の長さ）は特に制限されないが、例えば図示例のものの幅は０．５〜５ｃｍ程度である。
【００３５】
本実施形態のパッドホルダー１は、前身頃３において、図３に示すように、４本の第３幅伸長抑制部３３のうちの最も股下部４寄りの第３幅伸長抑制部３３４が、パッドホルダーの幅方向（Ｘ方向）において、第３側方伸長抑制部３１，３２と接するまで延出している。前身頃３においては、後身頃２の幅伸長抑制部２１に相当する抑制部が配されておらず、前身頃３の股間部４には、第３幅伸長抑制部３３４、一対の第３側方伸長抑制部３１，３２、及び接合部４２で囲まれた伸長領域が形成されている。このような伸長領域が、前身頃３における股下部４に形成されているため、併用される吸収性パッド７が吸液膨潤した際の肌への過度の圧接を抑制できる。特に伸長領域を股下部４の排尿部近傍（特に女性）に配置したことにより、吸液後の吸収性パッド７からの液戻りを低減し、肌刺激の低減、尿路感染リスクの低減を図っている。
【００３６】
後身頃２における中央伸長抑制部２２（後身頃２における一対の第１側方伸長抑制部２３，２４、第２側方伸長抑制部２５，２６、及び前身頃２における第３側方伸長抑制部３１，３２も同様）は、パッドホルダー１の縦方向（Ｙ方向）における最大伸長率が、後身頃２の中央伸長抑制部２２を挟んだ両側の少なくとも一方に位置する部分よりも小さくなされている部分、または、パッドホルダー１の縦方向（Ｙ方向）において特定荷重を加えたときの伸長率が後身頃２における中央伸長抑制部２２を挟んだ両側の少なくとも一方に位置する部分よりも小さくなされている部分である。尚、着脱性や着用感の点からは前者であることが好ましい。
【００３７】
後身頃２における幅伸長抑制部２１（後身頃２における第２幅伸長抑制部２７、前身頃３における第３幅伸長抑制部３３も同様）は、パッドホルダー１の幅方向（Ｘ方向）における最大伸長率が、後身頃２における幅伸長抑制部２１を挟んだ両側（上下）の少なくとも一方に位置する部分よりも小さくなされている部分、または、パッドホルダー１の幅方向（Ｘ方向）において特定荷重を加えたときの伸長率が後身頃２における幅伸長抑制部２１を挟む両側（上下）の少なくとも一方に位置する部分よりも小さくなされている部分である。
最大伸長率とは、それ以上伸ばせない長さ（材破する直前の長さ）まで伸長したときの伸長率であり、最大伸長率は、下記式（１）で求められる。
最大伸長率（％）＝｛（伸長後の長さ−伸長前の長さ）／伸長前の長さ｝×１００％・・・（１）
【００３８】
後身頃２における中央伸長抑制部２２の縦方向の最大伸長率は、１８０％未満であることが好ましく、２０〜１５０％がより好ましく、４０〜１２０％が更に好ましい。後身頃２における一対の第１側方伸長抑制部２３，２４、第２側方伸長抑制部２５，２６、及び前身頃２における第３側方伸長抑制部３１，３２も同様である。
後身頃２における、中央伸長抑制部２２、一対の第１側方伸長抑制部２３，２４、及び第２側方伸長抑制部２５，２６以外の縦方向高伸長性部分、例えば中央伸長抑制部２２を挟んでその両側に位置する縦方向高伸長性の部分それぞれの最大伸長率（Ｙ方向）は、パッドホルダーの着脱容易性や着用感の点から、１２０％以上、特に１２５％以上、更には１５０％以上、殊更１８０％以上であることが好ましく、また、中央伸長抑制部２２の最大伸長率との差が、３０％以上、特に５０〜１５０％であることが好ましい。前身頃２における第３側方伸長抑制部３１，３２以外の高伸長性部分も同様である。
【００３９】
後身頃２における幅伸長抑制部２１の幅方向の最大伸長率は、２００％未満であることが好ましく、５０〜１８０％がより好ましく、７０〜１６０％が更に好ましい。後身頃２における第２幅伸長抑制部２７、前身頃３における第３幅伸長抑制部３３も同様である。
後身頃２における幅伸長抑制部２１及び第２幅伸長抑制部２７以外の幅方向高伸長性部分、例えば、幅伸長抑制部２１を挟んでその上下に位置する幅方向高伸長性の部分何れかの最大伸長率（Ｘ方向）は、パッドホルダーの着脱容易性や着用感、吸収パッドの保持性の点から、１６０％以上、特に１８０％以上、殊更２００％以上であることが好ましく、また、幅伸長抑制部２１の最大伸長率との差が、２０％以上、特に３０〜１３０％であることが好ましい。後身頃２における第２幅伸長抑制部２７、前身頃３における第３幅伸長抑制部３３以外の高伸長性部分も同様である。
【００４０】
また、パッドホルダー１は、自然状態において総面積（後身頃２及び前身頃３の総面積）の５０％以上、より好ましくは７０％以上、更に好ましくは８０％以上が、後身頃２における、中央伸長抑制部２２、一対の第１側方伸長抑制部２３，２４、及び第２側方伸長抑制部２５，２６、並びに前身頃２における第３側方伸長抑制部３１，３２よりも縦方向伸長性が高い部分、即ち、最大伸長率がより大きい部分となっていることが、パッドホルダーの着脱容易性や着用感の点から好ましい。
後身頃２における、中央伸長抑制部２２、一対の第１側方伸長抑制部２３，２４、及び第２側方伸長抑制部２５，２６、並びに前身頃２における第３側方伸長抑制部３１，３２の総面積は３％以上５０％未満、特に５％以上３０％未満であることが着用感、着用操作時の引き上げ性、吸収性パッドの安定したホールド性の観点等から好ましい。
【００４１】
後身頃２における中央伸長抑制部２２の縦方向の最大伸長率は、中央伸長抑制部２２を、パッドホルダー１の縦方向（Ｙ方向）に伸長させて測定する。後身頃２における一対の第１側方伸長抑制部２３，２４、第２側方伸長抑制部２５，２６、及び前身頃２における第３側方伸長抑制部３１，３２も同様である。
後身頃２における幅伸長抑制部２１の幅方向の最大伸長率は、幅伸長抑制部２１を、パッドホルダー１の幅方向（Ｘ方向）に伸長させて測定する。後身頃２における第２幅伸長抑制部２７、前身頃３における第３幅伸長抑制部３３も同様である。
他方、後身頃２における、中央伸長抑制部２２、一対の第１側方伸長抑制部２３，２４、及び第２側方伸長抑制部２５，２６以外の縦方向高伸長性部分の最大伸長率（Ｙ方向）は、該高伸長性部分を、パッドホルダーの縦方向（Ｙ方向）に伸長させて測定する。前身頃２における第３側方伸長抑制部３１，３２以外の縦方向高伸長性部分の最大伸長率（Ｙ方向）の測定も同様である。
後身頃２における、幅伸長抑制部２１、及び第２幅伸長抑制部２７以外の幅方向高伸長性部分の最大伸長率（Ｘ方向）は、該高伸長性部分を、パッドホルダーの幅方向（Ｘ方向）に伸長させて測定する。前身頃３における第３幅伸長抑制部３３以外の幅方向高伸長性部分の最大伸長率（Ｘ方向）の測定も同様である。
【００４２】
〔中央伸長抑制部２２等の縦方向の最大伸長率測定方法〕
測定対象のパッドホルダーから、自然状態において、その縦方向（Ｙ方向）に１００ｍｍ、幅方向（Ｘ方向）に５０ｍｍの寸法の長方形形状で、かつ、測定用サンプルの長手方向（Ｙ方向相当）中央に少なくとも６０ｍｍの範囲に亘って中央伸長抑制部２２が含まれるように切り出し、この切り出された長方形形状を測定用サンプルとする。なお、上記サンプル調整方法は６０ｍｍの範囲全長に亘り連続して中央伸長抑制部２２が配置されていることを前提としているが、中央伸長抑制部２２が、その一部で分断されて断続的に縦方向高伸長性部分を含んでいる場合もこの範疇に含めるものとする。
この測定サンプルを、その長手方向（Ｙ方向相当）が引っ張り方向となるように、引張試験機のチャックに取り付ける。このとき、上下のチャックのいずれにおいても中央伸長抑制部２２が挟まれていることを確認する。チャック間距離は５０ｍｍ（チャック部は測定用サンプルの前後２５ｍｍの部分）とする。測定サンプルを３００ｍｍ／ｍｉｎで引っ張り、測定用サンプルの少なくとも一部が材破した時のチャック間距離を測定する。
ただし、１００Ｎ荷重後も測定用サンプルが材破しない場合は、１００Ｎ荷重時のチャック間距離を測定する。
測定対象のパッドホルダーから上記のように測定用サンプルが取り出せない場合は、適宜サンプル長さ、サンプル幅、チャック間距離、チャック幅、を変更しても良い。
【００４３】
中央伸長抑制部２２以外の、後身頃２における一対の第１側方伸長抑制部２３，２４、第２側方伸長抑制部２５，２６、及び前身頃２における第３側方伸長抑制部３１，３２の縦方向高伸長性部分の最大伸長率（Ｙ方向）の測定方法は、上記に準じる。但し、測定用サンプルを切り出す際には、測定用サンプル中に可能な限り、縦方向（Ｙ方向）の伸長性を抑制しうるその他の抑制部を含まないようにする。ただし、測定用サンプル中に、後身頃２における幅伸長抑制部２１、後身頃２における第２幅伸長抑制部２７、前身頃３における第３幅伸長抑制部３３を一部含んでもよい。
【００４４】
〔幅伸長抑制部２１の幅方向の最大伸長率測定方法〕
測定対象のパッドホルダーから、自然状態において、その幅方向（Ｘ方向）に１００ｍｍ、長手方向（Ｙ方向相当）に５０ｍｍの寸法の長方形形状で、かつ、測定用サンプルの長手方向（Ｘ方向相当）に、幅伸長抑制部２１が、少なくとも６０ｍｍの範囲に亘って含まれるように切り出し、この切り出された長方形形状を測定用サンプルとする。なお、上記サンプル調製方法では、６０ｍｍの範囲全長に亘り連続して幅伸長抑制部２１が配置されていることを前提としているが、幅伸長抑制部２１がその一部で分断されて幅方向高伸長性部分を含んでいる形態もこの範疇に含めるものとする。
この測定サンプルを、その長手方向（Ｘ方向相当）が引っ張り方向となるように、引張試験機のチャックに取り付ける。チャック間距離は５０ｍｍ（チャック部は測定用サンプルの前後２５ｍｍの部分）とする。測定サンプルを３００ｍｍ／ｍｉｎで引っ張り、測定用サンプルの少なくとも一部が材破した時のチャック間距離を測定する。
ただし、１００Ｎ荷重後も測定用サンプルが材破しない場合は、１００Ｎ荷重時のチャック間距離を測定する。
測定対象のパッドホルダーから上記のようにサンプルが取り出せない場合は、適宜サンプル長さ、サンプル幅、チャック間距離、チャック幅、を変更しても良い。
【００４５】
幅伸長抑制部２１以外の、後身頃２における第２幅伸長抑制部２７及び前身頃３における第３幅伸長抑制部３３の幅方向高伸長性部分の最大伸長率（幅方向）の測定方法は、上記に準じる。但し、測定用サンプルを切り出す際には、測定用サンプル中に他の幅伸長抑制部を含まないようにする。ただし、測定用サンプル中に、後身頃２における中央伸長抑制部、一対の第１側方伸長抑制部２３，２４、第２側方伸長抑制部２５，２６、及び前身頃２における第３側方伸長抑制部３１，３２を一部含んでもよい。
【００４６】
また、中央伸長抑制部２２が「パッドホルダー１の縦方向（Ｙ方向）において特定荷重を加えたときの伸長率が後身頃２における中央伸長抑制部２２を挟んだ両側の少なくとも一方に位置する部分よりも小さくなされている」とは、通常の着用状態において排泄物がパッドに保持された状態を想定し、３Ｎ加重時の伸長率で対比したときに伸長率が小さいことを意味する。測定用サンプルの準備方法及び測定方法は、加重値以外については上記縦方向の最大伸長率の測定方法に準じて行う。後身頃２における一対の第１側方伸長抑制部２３，２４、第２側方伸長抑制部２５，２６、及び前身頃２における第３側方伸長抑制部３１，３２も同様である。
【００４７】
また、幅伸長抑制部２１が「パッドホルダー１の幅方向（Ｘ方向）において特定荷重を加えたときの伸長率が後身頃２における幅伸長抑制部２１を挟む両側（上下）の少なくとも一方に位置する部分よりも小さくなされている」とは、通常の着用状態において排泄物がパッドに保持された状態を想定し、３Ｎ加重時の伸長率で対比したときに伸長率が小さいことを意味する。測定用サンプルの準備方法及び測定方法は、加重値以外については上記幅方向の最大伸長率の測定方法に準じて行う。後身頃２における第２幅伸長抑制部２７、前身頃３における第３幅伸長抑制部３３も同様である。
【００４８】
次に上述した本発明の実施形態のパッドホルダー１を使用した際の作用効果について説明する。
本実施形態のパッドホルダー１は、図１〜図２に示すように、幅方向（Ｘ方向）の伸長性を抑制しうる幅伸長抑制部２１を有し、縦方向（Ｙ方向）の伸長性を抑制しうる中央伸長抑制部２２が、中心線ＣＬに沿って幅伸長抑制部２１からウエスト開口部５に向かって延びており、中央伸長抑制部２２以外にも、縦方向（Ｙ方向）の伸長性を抑制しうる一対の第１側方伸長抑制部２３，２４が、幅伸長抑制部２１からウエスト開口部５に向かって左右対称に延びている。その為、パッドホルダー１を履く際の引き上げ時に、幅伸長抑制部２１が左右に傾くことなく均等に引き上がるので、併用される吸収性パッド７を、着用者の股間部に容易にフィット（密着）させることができ、着用する際の脱着性や着用感にも優れている。
【００４９】
また、本実施形態のパッドホルダー１は、後身頃２においては、図１〜図２に示すように、中央伸長抑制部２２が第２幅伸長抑制部２７１の位置よりウエスト開口部５側（図１中の上側）に延出しており、一対の第１側方伸長抑制部２３，２４が第２幅伸長抑制部２７１と接するまで延出しており、中央伸長抑制部２２の方が一対の第１側方伸長抑制部２３，２４よりもウエスト開口部５側（図１中の上側）に延出している。その為、パッドホルダー１を履く際の引き上げ力を幅伸長抑制部２１の幅方向（Ｘ方向）中央付近に効率よく伝達することができる。本実施形態のパッドホルダー１においては、図１〜図２に示すように、ウエスト開口弾性部５１と、中央伸長抑制部２２及び一対の第１側方伸長抑制部２３，２４とが間隔を置いて配されており、ウエスト開口弾性部５１と、中央伸長抑制部２２及び一対の第１側方伸長抑制部２３，２４との間それぞれに、中央伸長抑制部２２及び一対の第１側方伸長抑制部２３，２４よりも伸長性の高い領域が存在している。その為、姿勢変化時に皮膚の動きの大きい幅方向中央領域２Ｃにおける縦方向（Ｙ方向）の伸長を阻害し難く、パッドホルダー１が皮膚の動きに追従し易い。また、本実施形態のパッドホルダー１においては、図１〜図２に示すように、中央伸長抑制部２２が中心線ＣＬに沿って直線状に延びており、一対の第１側方伸長抑制部２３，２４が幅方向（Ｘ方向）外方に凸状に湾曲しながら延びているので、着用者の身体形状にフィットし易い。
【００５０】
また、本実施形態のパッドホルダー１は、後身頃２においては、図１〜図２に示すように、股下部４の接合部４２と幅伸長抑制部２１とが接しているので、パッドホルダー１を履く際の引き上げ時に、股下最下端の引き上げ性に優れており、着用時の股下部でのフィット性が更に向上する。
【００５１】
また、本実施形態のパッドホルダー１は、後身頃２においては、図１〜図２に示すように、一対の第２側方伸長抑制部２５，２６が中央伸長抑制部２１を対称軸として一対の第１側方伸長抑制部２３，２４より外方に配されているので、着用時の股下部でのフィット性が更に向上する。尚、本実施形態のパッドホルダー１は、後身頃２においては、図１〜図２に示すように、一対の第２側方伸長抑制部２５，２６及び一対の第１側方伸長抑制部２３，２４それぞれが、図１〜図２に示すように、幅伸長抑制部２１の底角側の頂点２１ｂ，２１ｃ近傍の同じ位置から延びているが、着用時の股下部でのフィット性の観点及びパッドホルダー１のズレ落ちの観点からは同じ位置でなくてもよい。また、本実施形態のパッドホルダー１は、後身頃２においては、図１〜図２に示すように、一対の第２側方伸長抑制部２５，２６が第２幅伸長抑制部２７１とウエスト開口部５との間の位置まで延出しており、ウエスト開口弾性部５１と、第２側方伸長抑制部２５，２６との間それぞれに、中央伸長抑制部２２、一対の第１側方伸長抑制部２３，２４、及び一対の第２側方伸長抑制部２５，２６よりも伸長性の高い領域が存在している。その為、姿勢変化時に皮膚の動きの大きい幅方向中央領域２Ｃにおける縦方向（Ｙ方向）の伸長を阻害し難く、パッドホルダー１が皮膚の動きに追従し易い。
【００５２】
また、本実施形態のパッドホルダー１は、後身頃２においては、図１〜図２に示すように、中央伸長抑制部２２、一対の第１側方伸長抑制部２３，２４、及び一対の第２側方伸長抑制部２５，２６それぞれの前記ウエスト開口部側の端部の幅は、前記股下部側の端部の幅と同じであるので、パッドホルダー１の腹部領域２Ｍでのパッドホルダー１の幅方向（Ｘ方向）の伸縮性を阻害し難く、フィット性に優れる。
【００５３】
また、本実施形態のパッドホルダー１は、図１に示すように、幅伸長抑制部２１が平面視して略二等辺三角形状であるので、パッドホルダー１を履く際の引き上げ力が幅伸長抑制部２１全体に伝達され易い。また、本実施形態のパッドホルダー１は、図１に示すように、中央伸長抑制部２２が略二等辺三角形状の幅伸長抑制部２１の頂点２１ａ近傍から、一対の第１側方伸長抑制部２３，２４及び一対の第２側方伸長抑制部２５，２６それぞれが、頂点２１ｂ，２１ｃ近傍から延びており、パッドホルダー１を履く際の引き上げ力が集中せず分散されるので、伸縮性シートの破れやほつれを防止することができる。また、本実施形態のパッドホルダー１は、図１に示すように、一対の第１側方伸長抑制部２３，２４及び一対の第２側方伸長抑制部２５，２６それぞれが、略二等辺三角形状の幅伸長抑制部２１の底角側の頂点２１ｂ，２１ｃ近傍から延びているので、パッドホルダー１を履く際の引き上げ力により、略二等辺三角形状の幅伸長抑制部２１の頂点２１ｂ，２１ｃを幅方向（Ｘ方向）外方に引っ張ることができ、股下部４の弛みを防止することができる。
伸縮性シートの破れやほつれを防止し、かつ股下部４の弛みを防止する観点から、幅伸長抑制部２１の頂点２１ｂと２１ｃを結んだ線と、幅伸長抑制部２１の頂点２１ａと幅伸長抑制部２１の頂点２１ｂ（２１ｃ）を結んだ線の成す角度が３０〜６０°であることが好ましい。
【００５４】
また、本実施形態のパッドホルダー１は、図２に示すように、着用時に、着用者の腸骨稜８の少なくとも一部の上下を、第２側方伸長抑制部２５，２６に連接された第３側方伸長抑制部３１，３２の第２幅伸長抑制部２７１より上方に延出した延出部分と、第２幅伸長抑制部２７１とで挟むことができるようになっている。そのため、吸収性パッド７やパッドホルダー１の下方へのずり落ちをより効果的に防止することができる。
【００５５】
また、本実施形態のパッドホルダー１は、図２，図４に示すように、複数本の第２幅伸長抑制部２７が縦方向（Ｙ方向）に間欠的に配され、複数本の第３幅伸長抑制部３３が縦方向（Ｙ方向）に間欠的に配されており、第２幅伸長抑制部２７１，２７２，２７３それぞれが第３幅伸長抑制部３３１，３３２，３３３それぞれと着用者の側部に配される部位で連接されている。そのため、吸収性パッド７の長手方向の位置を容易に合わせることができ、吸収性パッド７の安定的な固定と良好な着用感を得ることができる。
【００５６】
以上、本発明をその好ましい実施形態に基づき説明したが、本発明は実施形態に制限されない。
例えば、上述したパッドホルダー１においては、図１に示すように、ボクサーブリーフ型であるが、トランクス型やブリーフ型でもよい。また、上述したパッドホルダー１においては、図１に示すように、幅伸長抑制部２１が幅方向中央領域２Ｃより中心線ＣＬ寄りの、一対のレッグ開口部６，６間の領域４１に配されているが、下腹部領域２Ｄの幅方向中央領域２Ｃに配されていればよい。また、また、上述したパッドホルダー１においては、図１に示すように、接合部４２の少なくとも一部と、幅伸長抑制部２１とが接しているが、接していなくてもよい。また、上述したパッドホルダー１においては、図１に示すように、一対の第１側方伸長抑制部２３，２４が、幅方向（Ｘ方向）外方に凸状に湾曲しながら形成されているが、中央伸長抑制部２２を対称軸として幅伸長抑制部２１からウエスト開口部５に向かって左右対称に延びていればよい。また、上述したパッドホルダー１においては、図１に示すように、中央伸長抑制部２２が第１側方伸長抑制部２３，２４よりウエスト開口部５側に長く延在しているが、長くなくてもよい。
【００５７】
また、上述したパッドホルダー１においては、図１に示すように、後身頃２に、一対の第２側方伸長抑制部２５，２６を有しているが、有しなくてもよい。また、上述したパッドホルダー１においては、図１に示すように、後身頃２に、幅方向（Ｘ方向）に延びる第２幅伸長抑制部２７を複数本有しているが、有しなくてもよい。
【００５８】
また、上述したパッドホルダー１においては、図３に示すように、前身頃３に、第３側方伸長抑制部３１，３２及び複数本の第３幅伸長抑制部３３を有しているが、有しなくてもよい。
【００５９】
また、上述したパッドホルダー１においては、図１に示すように、後身頃２に、幅伸長抑制部２１、中央伸長抑制部２２、第１側方伸長抑制部２３，２４、及び第２側方伸長抑制部２５，２６を有し、前身頃３に、第３側方伸長抑制部３１，３２及び第３幅伸長抑制部３３を有し、それぞれ連続的に延びているが、連続的に延びている必要はなく、その一部で分断されて高伸長性部分を一部に含んでいる場合、たとえば、伸長抑制部と高伸長性部分が交互に配列していてもよい。
【符号の説明】
【００６０】
１  パッドホルダー
１ａ  折曲線
２  前身頃
２Ｕ  ウエスト領域
２Ｍ  腹部領域
２Ｄ  下腹部領域
２Ｃ  幅方向中央領域
２Ｒ  右側に位置する側方領域
２Ｌ  左側に位置する側方領域
２１  幅伸長抑制部
２１ａ  頂角側の頂点、２１ｂ，２１ｃ  底角側の頂点、２１ｄ  底辺
２２  中央伸長抑制部
２３，２４  第１側方伸長抑制部
２５，２６  第２側方伸長抑制部
２５ｃ，２６ｃ  第２側方伸長抑制部の一部
２７  第２幅伸長抑制部
３  後身頃
３Ｕ  ウエスト領域
３Ｍ  腹部領域
３Ｄ  下腹部領域
３Ｃ  幅方向中央領域
３Ｒ  右側に位置する側方領域
３Ｌ  左側に位置する側方領域
３１，３２  第３側方伸長抑制部
３３  第３幅伸長抑制部
４  股下部
４１  一対のレッグ開口部間の領域
４２  接合部
５  ウエスト開口部
５１  ウエスト開口弾性部
６  レッグ開口部
６１  レッグ開口弾性部材
７  吸収性パッド
８  腸骨稜
８１  上前腸骨棘
【図１】
0005571445.tif 000002
【図２】
0005571445.tif 000003
【図３】
0005571445.tif 000004
【図４】
0005571445.tif 000005
【図５】
0005571445.tif 000006
【図６】
0005571445.tif 000007